(57)【要約】【課題】新聞紙などの古紙および、紐やハサミなどの結束用具を収納・保管するとともに、古紙を結束する際、これを持ち上げたり、傾けたり、ひっくり返したりすることなく、従来よりも少ない労力で結束する古紙の結束補助器具を提供する。【解決手段】台座１上部に、内側側壁に間仕切り６を持つ収納カバー４を配し、古紙９を収納する空間と、紐１０やハサミ等を収納する空間を設ける。また、台座１の天面上に、台座１の天面に対し外縁が鋭角に傾斜している突条の積載台２を設け、ここに古紙９を載置し、積載台２の外縁と古紙９の間の空間より紐１０を引き込み作業することにより、古紙９を結束する際の労力低減を図る。【選択図】図１
2012166847.tif 000002
【特許請求の範囲】
【請求項１】
方形の台座と、台座上部に角筒状の収納カバーと、台座天面上の古紙の載置領域内に凸部状の積載台を有し、該積載台の外縁が前記台座天面に対して鋭角に傾斜していることを特徴とする、古紙の結束補助器具。
【請求項２】
前記積載台が、突条形状を有しており、且つ、古紙の載置領域の中心から前記台座の外周縁近傍に向け、少なくとも３方向以上に延在していることを特徴とする、請求項１に記載の古紙の結束補助器具。
【請求項３】
前記積載台において、該積載台の中心に凹部もしくは凸部を有することを特徴とする、請求項１に記載の古紙の結束補助器具。
【請求項４】
前記積載台が、角錐台形状であることを特徴とする、請求項１に記載の古紙の結束補助器具。
【請求項５】
前記積載台において、該積載台の中心から外縁に向け、前記台座の各辺と平行となる溝を有することを特徴とする、請求項１に記載の古紙の結束補助器具。
【請求項６】
前記積載台の中心から前記台座の任意の一辺と平行となる延長線上付近で、且つ、古紙の載置領域外の前記台座天面上に、前記積載台よりも高さの低い仮止めフックを有し、該仮止めフックの先端が、前記積載台の中心からフックへ延びる延長線に対し直向する方向、あるいは該積載台側に４５度以内の範囲内となるよう配置されていることを特徴とする、請求項１に記載の古紙の結束補助器具。
【請求項７】
前記収納カバーにおいて、該収納カバー内側側壁で、古紙の載置領域を規定する位置に間仕切りを有することを特徴とする、請求項１に記載の古紙の結束補助器具。
【発明の詳細な説明】
【技術分野】
【０００１】本発明は、読み終えた新聞や折込チラシ、雑誌などの古紙および、結束の際に必要となる紐やハサミなどの結束用具を収納・保管するとともに、古紙を結束する際の手間や労力の低減を図る、古紙の結束補助器具に関するものである。
【背景技術】
【０００２】従来、読み終えた新聞や折込チラシ、雑誌などの古紙は剥き出しのまま積み重ねられたり、あるいは、収納袋や収納容器等の収納用具に収納・保管されていた。【０００３】しかし、古紙を剥き出しのまま積み重ねた場合は見た目に煩雑であり、また、収納袋や収納容器等の収納用具内に収納・保管した場合は、結束の際に古紙を収納用具内から取り出す手間や労力が必要であった。【０００４】さらに、これらの場合、古紙を紐で結束する際には、古紙を持ち上げたり、傾けたり、あるいはひっくり返すなどの手間や労力が必要であった。また、作業の途中で古紙が崩れたり紐が弛んだりすることもあり、作業が煩雑であった。【０００５】そこで、古紙を収納用具内に入れたまま、古紙を持ち上げたり、傾けたり、ひっくり返したりすることなく結束するための収納袋や収納容器が提案されている。
【先行技術文献】
【特許文献】
【０００６】
【特許文献１】  特開２０００ー３５５３０４号公報
【特許文献２】  特開２００２ー２５５３０２号公報
【特許文献３】  特開２００２ー２８４１２２号公報
【特許文献４】  特開２００５ー２１９８０７号公報
【特許文献５】  特開２００６ー２９８４７８号公報
【特許文献６】  特開２００７ー６９９２１号公報
【特許文献７】  特開２００７ー９９３２６号公報
【特許文献８】  特開２００７ー１６１３３４号公報
【特許文献９】  登録実用新案第３０７７３１７号
【発明の概要】
【発明が解決しようとする課題】
【０００７】しかしながら、上記特許文献にあっては、
（イ）紐を予め容器にセットしておく手間がある（特許文献１、４、５、６、９）。
（ロ）紐の結び方や作業手順が複雑で覚えにくい（特許文献１、８、９）。
（ハ）結束の途中で紐を持ち直す必要があり、作業が煩雑である（特許文献３、８）。
（ニ）紐を専用の器具に取り付ける、取り外すなどの手間があり、作業が煩雑である（特許文献７）。
（ホ）回収袋が使い捨てのため、予備の回収袋を常備しておく必要がある。また、回収袋が回収対象外の素材であったり、資源の消費増大につながる恐れがある（特許文献２）。
などの問題点があった。【０００８】また、他にも、古紙を結束する際に必要となる紐やハサミなどの結束用具は、収納容器とは別の場所に保管されていることが多く、作業時にこれらを取り出してくる手間があった。
【課題を解決するための手段】
【０００９】そこで、本発明は上記課題を解決するためになされたもので、方形の台座１と、台座１上部に角筒状の収納カバー４と、台座１天面上の古紙９の載置領域内に凸部状の積載台２を有し、該積載台２の外縁が前記台座１天面に対して鋭角に傾斜している。
前記積載台２が、突条形状を有しており、且つ、古紙９の載置領域の中心から前記台座１の外周縁近傍に向け、少なくとも３方向以上に延在し、該積載台２の中心に凹部もしくは凸部を有する、あるいは、積載台２が、角錐台形状であり、該積載台２の中心から外縁に向け、前記台座１の各辺と平行となる溝を有する。
前記積載台２の中心から前記台座１の任意の一辺と平行となる延長線１１上付近で、且つ、古紙９の載置領域外の前記台座１天面上に、前記積載台２よりも高さの低い仮止めフック３を有し、該仮止めフック３の先端が、前記積載台２の中心からフックへ延びる延長線１１に対し直向する方向、あるいは該積載台２側に４５度以内の範囲内となるよう配置されている。
また、前記収納カバーの内側側壁で、古紙９の載置領域を規定する位置に間仕切り６を配する。
本発明は、以上の構成からなる古紙の結束補助器具である。
【発明の効果】
【００１０】新聞や折込チラシ、雑誌などの古紙９は、収納カバー４内に収納・保管されることで、直接目に触れることがなく、収納・保管場所の景観を損なわない。また、収納カバー４および間仕切り６が、古紙９の載置領域を規定することで、古紙９は積載台２上に整然と載置される。
結束時の作業は、収納カバー４を台座１より外して行うため、積載台２の周囲には遮蔽物がなく、また、積載台２の外縁が台座１の天面に対して鋭角に傾斜していることにより、紐１０を積載台２の外縁と古紙９の間の空間から、積載台２の中央部まで容易に引き込むことができ、古紙９を持ち上げたり、傾けたり、ひっくり返したりする手間や労力なしに結束することが可能である。
なお、この結束の作業は、収納器具を使用しない従来の場合とほぼ同じ手順で行われるので、予め収納器具に紐をセットしておく手間や、新たに複雑な紐の結び方、作業手順を覚える面倒がない。
さらに、収納カバー４を外した状態で使用することで、積載台２および収納カバー４よりも大きいサイズの古紙を結束することも可能である。
また、収納カバー４内の、間仕切り６で区分けられた空間のうち、古紙９の載置領域でない他方の空間に、紐１０やハサミを収納・保管しておくことで、結束の際にこれらを別の保管場所から取り出してくる手間がない。
なお、台座１、積載台２、仮止めフック３を一体成形、収納カバー４、間仕切り６、用具掛けフック７を一体成形、台座１、収納カバー４、上ぶた５を同素材とすることで、コストの削減が期待できる。
【図面の簡単な説明】
【００１１】
【図１】本発明の斜視図である。
【図２】本発明の使用方法を表す斜視図である。
【図３】本発明の使用方法を表す斜視図である。
【図４】本発明の使用方法を表す斜視図である。
【図５】本発明の使用方法を表す斜視図である。
【図６】本発明の使用方法を表す斜視図である。
【図７】本発明の斜視図である。
【図８】本発明の断視図および平面図である。
【図９】本発明の斜視図である。
【図１０】本発明の斜視図である。
【図１１】本発明の斜視図である。
【発明を実施するための形態】
【００１２】以下、本発明の実施の形態について、図面を参照しつつ詳細に説明すれば、図１は本発明の実施例を表す斜視図であるが、方形である台座１の上部に、角筒状の収納カバー４を設ける。台座１の外周縁には、収納カバー４の厚みと同じ幅の溝を設け、収納カバー４の天面には、収納カバー４の天面の任意の一辺で蝶番により連結された上ぶた５を設ける。
また、台座１の天面上に、台座１の天面に対して外縁が鋭角に傾斜している突条の積載台２を、古紙９の載置領域の中心から台座１の外周縁に向けて４方向に延在させ、さらに積載台２の中心部には凹部を設ける。なお、該積載台２は角錐台形状とし、該積載台２の中心から台座１の各辺と平行となる溝を設けてもよい。
また、積載台２の中心から台座１の任意の一辺と平行となる延長線１１上付近で、且つ、古紙９の載置領域外となる台座１の天面上に、積載台２よりも高さの低い仮止めフック３を設ける。仮止めフック３は、先端が積載台２の中心からの延長線１１に対して直向する方向、あるいは積載台２側に４５度以内の範囲内となるよう配する。
収納カバー４の内側側壁には、古紙９の載置領域を規定する位置で、古紙９の載置領域の天地幅よりも長い凸部状の間仕切り６を設け、間仕切り６により区分けられた空間のうち、古紙９の載置領域ではない他方の空間の内側側壁に用具掛けフック７を設ける。
また、台座１の底部四隅にキャスター８を設ける。
【００１３】本発明にかかる古紙９の収納および結束の流れを、図面を参照にしつつ詳細に説明すれば、まず、最初に古紙９を収納する際は、上ぶた５を開け、収納カバー４上部より古紙９を積載台２の上に載置し、以降、順次積載していく。この際、収納カバー４および間仕切り６が古紙９の収納位置を規定し、古紙９は、積載台２上に載置される（図２）。
古紙９を結束する際は、収納カバー４を持ち上げて台座１より外し、収納カバー４内に収納・保管されている紐１０を取り出す。仮止めフック３と対面する側の、積載台２の外縁と古紙９の間の空間に紐１０を古紙９の辺と平行に渡し、紐１０を内側へ引き込む。引き込まれた紐１０は、積載台２の中央部の凹部により、積載台２の中央で止まる（図３）。
紐１０の両端を古紙９の側面に沿って上方に引き上げ、古紙９の上部で十字に交差させる（図４）。
紐１０の片側一方を古紙９の側面に沿って下方に降ろして仮止めフック３に掛け、再び、積載台２の外縁と古紙９の間の空間より内側へ引き込んだ後、積載台２の中央部まで移動する。この時、紐１０は、掛けられた仮止めフック３より自然に外れる（図５）。
さらに、この紐１０を古紙９の側面に沿って上方に引き上げ、両方の紐１０が交わる部分で結び、収納カバー（４）内に保管されているハサミで適当な部分を切る（図６）。
結束の作業が終了したら、収納カバー（４）を台座（１）の外縁の溝にはめ込み、紐（１０）やハサミを収納カバー（４）内の用具掛けフック（７）に戻す。
【００１４】なお、台座１と収納カバー４の接合は本形態に限定するものではないが、出来る限り脱着が容易で、且つ簡素な構造が望ましい。また、紐１０やハサミを掛けておく用具掛けフック７に代わり、間仕切り６を箱状に形成し、この空間に紐１０やハサミを収納・保管することも可能である（図７）。
積載台２と古紙９の接地部分は、紐１０を移動する際の抵抗を減少させるため、積載台２の頂点部を曲面としてもよい（図８ａ）。また、古紙９の外端を上方に向け、紐１０を台座１と古紙９の間の空間に、より渡しやすくするため、積載台２は、その外縁部よりも中央部を低くしてもよい（図８ｂ）。
紐１０を積載台２の外縁と古紙９の間の空間より、より引き込みやすくするため、積載台２の外縁付近の任意の２点間を弓状としたり（図９ａ）、半球状としてもよい（図９ｂ）。
積載台２は角錐台形状のものとし、積載台２の中心から外縁に向け、台座１の各辺と平行となる溝を有するものとしてもよい。（図１０）。
積載台２中央部の凹部は、台座１の天面上まで伸ばしてもよい（図１１ａ）。また、凹部の代わりに凸部を設けてもよい（図１１ｂ）。
仮止めフック３は、図１で示す形状に限定するものではないが、掛けられた紐１０が、その後の作業の流れで仮止めフック３から自然に外れるような形状、構造とすることが望ましい。
【００１５】台座１、積載台２、仮止めフック３を単一の構造物、収納カバー４、間仕切り６、フック７を単一の構造物とし、一体成形することも可能である。
なお、加工の自由度、軽量化、強度の維持などの条件を鑑みた場合、主となる構造物の素材には合成樹脂が適当である。
【符号の説明】
【００１６】１  台座
２  積載台
３  仮止めフック
４  収納カバー
５  上ぶた
６  間仕切り
７  用具掛けフック
８  キャスター
９  古紙
１０  紐
１１  延長線
【図１】
2012166847.tif 000003
【図２】
2012166847.tif 000004
【図３】
2012166847.tif 000005
【図４】
2012166847.tif 000006
【図５】
2012166847.tif 000007
【図６】
2012166847.tif 000008
【図７】
2012166847.tif 000009
【図８】
2012166847.tif 000010
【図９】
2012166847.tif 000011
【図１０】
2012166847.tif 000012
【図１１】
2012166847.tif 000013